(57)【要約】    【課題】注射針アッセンブリを注射器に取り付けた後に、針先の状況を確認する場合に、視野をさえぎる部分が無く、その確認を確実に行なうことができる注射器を提供する。    【解決手段】先端部に注射針１２を備えた注射針アッセンブリ１１が着脱自在に取り付けられる注射器用ノズル１４が形成されるとともに、この注射器用ノズル１４の外側を囲繞するように略円筒状の外側筒部１５が形成された注射器バレル１０であって、外側筒部の内側に、注射針アッセンブリ１１のフランジ部１３が挿入された場合に、このフランジ部１３を係止して支持することが可能な内方突起１７が形成されていることを特徴とする。    【選択図】図１
2009000194.tif 000002
【特許請求の範囲】
【請求項１】
先端部に注射針を備えた注射針アッセンブリがフランジ部を介して着脱自在に取り付けられる注射器用ノズルが形成されるとともに、この注射器用ノズルの外側を囲繞するように略円筒状の外側筒部が形成された注射器であって、
前記外側筒部の内側に、前記注射針アッセンブリの前記フランジ部が挿入された場合に、このフランジ部を係止して支持することが可能な内方突起が形成されていることを特徴とする注射器。
【請求項２】
前記外側筒部の内側に形成された内方突起は、前記外側筒部の内周面全周にわたって環状に形成されたものであることを特徴とする請求項１に記載の注射器。
【請求項３】
前記外側筒部の内側に形成された内方突起は、前記外側筒部の内周面に所定間隔置きに形成された複数の突部から構成されていることを特徴とする請求項１に記載の注射器。
【発明の詳細な説明】
【技術分野】
【０００１】
本発明は注射器に関するもので、詳しくは注射器内に薬剤などが予め充填されたプレフィルド型の注射器に関するものである。
【背景技術】
【０００２】
注射器には、注射器兼用容器内に予め注射剤を充填しておき、開口端部を密封栓で封止した状態で輸送、保管し、投与の際には注射器先端側に注射針を備えた注射針アッセンブリを取り付けるとともに、プランジャーで密封栓を先端側に押し込み注射器内を摺動させることにより、充填された注射剤を注射針側から流出させて投与できるいわゆるプレフィルド型注射器が知られている。このプレフィルド型注射器は、操作が簡単であること、緊急時でも薬剤の誤用がなく正確な投与量を投与できること、さらには薬液を移し替える操作が必要なく、微生物汚染を回避しやすく衛生性が高いことなど種々の利点がある。
図４は従来の注射器のルアーチップタイプの注射器バレル部分を示したものである。
この注射器１では、注射器バレル２の先端部に、細孔が形成されたノズル３が形成され、このノズル３に、注射針４を先端に備えた注射針アッセンブリ５が着脱自在に取り付けられている。
一方、図５および図６に示したように、注射針アッセンブリの外れを防止するようにしたルアーロックタイプの注射器が提供されている（例えば、特許文献１）。
図５および図６に示した従来のルアーロックタイプの注射器２０では、注射器バレル６の先端部にルアーロック部２１が具備されている。すなわち、先端部に設けた外側筒部２２の内周面に、螺旋状の溝８が形成され、この溝８に注射針アッセンブリ５のフランジ部７が螺進されることにより、注射針アッセンブリ５の注射器バレル６への取り付けが行なわれている。なお、図５および図６に示したフランジ部７は、図４に示した注射針アッセンブリ５のフランジ部７の場合と同様に、０度と１８０度との位置に、小突起７ａ、７ａが形成されたものである。
【特許文献１】特開平１０−２７２１８３号公報
【発明の開示】
【発明が解決しようとする課題】
【０００３】
ところで、図４に示したルアーチップタイプの注射器１では、注射針アッセンブリ５が単に差込により装着されているため、この差込による装着が十分でないと、注射時の加圧などにより注射針アッセンブリ５が注射器バレル２から外れてしまう虞があった。
一方、図５および図６に示したルアーロックタイプの注射器２０では、装着性は確実であるものの、外側筒部２２に螺旋状の溝８を形成しなければならないため、外側筒部２２の長さが長くなり、使用時に螺旋状の溝８を形成した外側筒部２２が視野の邪魔になって、実際に注射を行なう場合に、針先（患部）が見えづらくなるという問題があった。
また、注射針アッセンブリ５のフランジ部７を、ルアーロック部２１の先端部に設けた外側筒部２２の内周面に形成された螺旋状の溝８にそって回転螺進させて装着するため、装着に手間取る虞もあった。
本発明はこのような実情に鑑みてなされたものであり、注射針アッセンブリを注射器バレルに取り付けた場合に、その注射針アッセンブリが外れる虞がなく、実際に注射を行なう場合、針先（患部）の視認性も良好な注射器を提供することを、目的としている。また、注射針アッセンブリの素早い注射器バレルへの装着を確保することも、目的としている。
【課題を解決するための手段】
【０００４】
本発明に係る注射器は、先端部に注射針を備えた注射針アッセンブリがフランジ部を介して着脱自在に取り付けられる注射器用ノズルが形成されるとともに、この注射器用ノズルの外側を囲繞するように略円筒状の外側筒部が形成された注射器であって、前記外側筒部の長さが、螺旋状の溝８を形成したルアーロックタイプの注射器の外側筒部２２の長さに比較して短く、該外側筒部の先端部を細くテーパー状に成形することで、視野が広くなっており、該外側筒部の内側に、前記注射針アッセンブリの前記フランジ部が挿入された場合に、このフランジ部を係止して支持することが可能な内方突起が形成されていることを特徴としている。
ここで、前記外側筒部の内側に形成された内方突起は、前記外側筒部の内周面全周にわたって形成された、環状（リング状）ものであっても良く、前記外側筒部の内周面に所定間隔置きに形成された、複数の突部から構成されていても良い。
このような構成であるので、針先の視認性が良好であるとともに、注射針アッセンブリの外れが生じることもなく、また、注射針アッセンブリの素早い注射器バレルへの装着も確保出来る。
【発明の効果】
【０００５】
本発明に係る注射器では、ルアーロック部の外側筒部の壁が従来のルアーロック部の外側筒部より短い。すなわち、注射を打つ際、手元側から針先（患部）を見た場合に、これまでは視野の邪魔になっていた外側筒部の壁を形成する部分の長さが邪魔にならない程度に短く成形されている。このような構成に加え、先端に向かってテーパーを、形成することより、さらに視野を改善することも可能である。これによって、針先（患部）の視認性が、良好となる。
また、内方突起で注射針アッセンブリのフランジ部が確実に係止されるので、該注射針アッセンブリの外れが生じることもなく、その装着も、嵌合不要であるので、素早く出来る。
【発明を実施するための最良の形態】
【０００６】
次に、好ましい実施の形態を挙げて本発明を更に詳細に説明する。
図１は、本発明の一実施例による注射器バレルを備えた注射器を示したものである。
本実施例の注射器バレル１０は、軸線を中心とする略円筒体を呈している。
この注射器バレル１０は、図２（Ａ），（Ｂ）に示したように、先端部に薬液が吐出される注射器用ノズル１４とこのノズル１４を囲繞する略円筒状の外側筒部１５とを備え、これらノズル１４と外側筒部１５とによりルアーロック部１６が構成されている。
【０００７】
ここで、ルアーロックとは、狭義の意味では、ネジ山とネジ溝との関係のように、特殊な力が作用しないかぎり外れない嵌合構造を表現しているが、本明細書では、図１に示した注射器バレル１０と注射針アッセンブリ１１との間に構成される嵌合構造であって、注射器用ノズル１４を囲繞する略円筒状の外側筒部１５によって注射針アッセンブリ１１のフランジ部１３を外側から確実に係止する嵌合構造部分を、ルアーロック部と称する。
【０００８】
さらに、本実施例のルアーロック部１６を構成する外側筒部１５の内周面における開口端には、環状の内方突起１７が全周に亘って形成されている。この内方突起１７は、全周に亘ってリング状（環状）に形成されたものであるが、所定間隔置きに形成された複数の突部から構成されていても良い。その場合、図４に例示する様に０度と１８０度の位置に小突起７ａの有るフランジ部を持つ注射器アッセンブリを、装着することから、少なくとも２個以上で偶数個形成されていれば良い。図３（Ａ）に示したように、２個の場合は、１８０度異なる位置に突部１７ａを形成する必要がある。さらに、４個である場合、図３（Ｂ）に示したように、突部１７ａを９０度間隔置きに形成する。このように突部１７ａを形成すれば、注射針アッセンブリの装着を確実なものとすることから好ましい。
【０００９】
また、図３（Ｃ）に示したように、フランジ部７の２つの小突起７ａ，７ａを、切欠き部３０ａ，３０ａ内に挿入し、その状態から略９０度回動させれば、切欠き部３０ａの存在しない壁体３０ｂで抜け防止を図ることができる。また、図３（Ｄ）に示したように、切り欠部３０ａを９０度置きに４個形成すれば、より一層装着時の姿勢が限定されない。これにより、図３（Ｃ）に比べてより容易に装着することができる。
【００１０】
このように本発明における内方突起１７は、図２に示したように全周に亘ってリング状（環状）に形成されたものである場合と、図３（Ａ），（Ｂ）に示したように複数の突部１７ａから構成される場合と、この他に、図３（Ｃ）、（Ｄ）に示したように、切欠き部３０ａを２個あるいは４個程度形成することにより、切欠き部３０ａを形成していない周辺の壁体３０ｂを内方突起として構成する場合をも含んでいる。いずれにしても注射針アッセンブリのフランジ部に相当する部材を安定に係止できれば、全体の形状、断面の形状、数などは限定されるものではない。
【００１１】
一方、図１に示した注射針アッセンブリ１１は、注射針１２を支持するための基台であり、その取り付側の端部に、フランジ部１３が形成されている。
本実施例の注射器バレル１０と注射針アッセンブリ１１は、上記のように形成されているが、以下に組み付けについて説明する。
【００１２】
先ず、図２（Ａ），（Ｂ）に示した注射器バレル１０の先端部に、注射針アッセンブリ１１を対向配置し、注射針アッセンブリ１１の基端側をノズル１４に被せるように、そのフランジ部１３を注射器バレル１０のルアーロック部１６に差し込む。
このとき、先ず注射針アッセンブリ１１のフランジ部１３が内方突起１７に当接し、この内方突起１７を乗り越えるようにして外側筒部１５の内部に挿入される。そして、一旦、フランジ部１３が内方突起１７を乗り超えると、フランジ部１３が外側筒部１５の内方突起１７に捕捉され、これにより移動不能に位置決めされる。これにより、注射針アッセンブリ１１の注射器バレル１０に対する取り付けが完了する。
【００１３】
このように、本実施例の注射器によれば、従来品のルアーロック部のネジ溝が無く、ネジ溝を形成していた壁体そのものが短くなっている。また、先端部に向かってテーパーを、形成することも出来る。したがって、注射針アッセンブリ１１を取り付けた状態のルアーロック部１６を、外部から確認すると、手元側から針先（患部）を見た場合の視野が広がっているので、注射する場合の作業性が良好である。
【００１４】
また、内方突起１７がフランジ部１３を確実に係止しているので、注射針アッセンブリ１１が脱落することもなく、その装着も嵌合不要であるので、素早く出来る。
なお、本発明に係る注射器バレル１０の材質としては、一般にプラスチックが使用されており、例えば環状オレフィン系樹脂、環状オレフィン−エチレン共重合体、ポリエチレンテレフタレート系樹脂、ポリスチレン樹脂、ポリエチレンテレフタレート樹脂等が挙げられるが、特に透明性や耐熱性が高く、医薬品との化学的な相互作用のない環状オレフィン系樹脂、環状オレフィン−エチレン共重合体（例えば特許第２９１４８２６号公報記載の衛生用容器に用いられているもの）の使用が好ましい。
【００１５】
なお、本発明の注射器には、ピストンとして密封栓を使用したものであれば、例えば特開平８−３０８６８８号公報に記載されているような２室型の注射器なども含まれる。
さらに、上記実施例では図示していないが、注射器バレル１０内に薬液を密封するピストンは、特許第３３８７７７５号に開示されているように、ピストン本体の表面に、例えば、テトラフルオロエチレン樹脂フィルムまたは超高分子量ポリエチレンフィルムがラミネートされていても良い。
【図面の簡単な説明】
【００１６】
【図１】図１は本発明の一実施例による注射器の先端部分を説明する断面図である。
【図２】図２（A),（B)は、図1の注射器の一部拡大図面と，概略断面図である。
【図３】図３（Ａ）は、外側筒部に形成する内方突起を、２つの突部で構成する場合の断面図、図３（Ｂ）は外側筒部に形成する内方突起を４つの突部で構成する場合の断面図、図３（Ｃ）は、外側筒部に形成する内方突起が切欠き部以外の２つの壁体で構成される場合の断面図、図３（Ｄ）は、外側筒部に形成する内方突起が切欠き部以外の４つの壁体で構成される場合の断面図である。
【図４】図４は従来の注射器の斜視図である。
【図５】図５は、他の従来の注射器の断面図である。
【図６】図６は、図５に示した従来の注射器の斜視図である。
【符号の説明】
【００１７】
１      注射器１
２      注射器バレル
３      ノズル
４      注射針
５      注射針アッセンブリ
６      注射器バレル
７      フランジ部
７ａ    小突起
８      螺旋状の溝
１０    注射器バレル
１１    注射針アッセンブリ
１２    注射針
１３    フランジ部
１４    ノズル
１５    外側筒部
１６    ルアーロック部
１７    内方突起
１７ａ  突部
２０    注射器
２１    ルアーロック部
２２    外側筒部
３０ａ    切欠き部
３０ｂ    壁体
【図１】
2009000194.tif 000003
【図２】
2009000194.tif 000004
【図３】
2009000194.tif 000005
【図４】
2009000194.tif 000006
【図５】
2009000194.tif 000007
【図６】
2009000194.tif 000008
【手続補正書】
【提出日】平成20年7月3日(2008.7.3)
【手続補正１】
【補正対象書類名】特許請求の範囲
【補正対象項目名】全文
【補正方法】変更
【補正の内容】
【特許請求の範囲】
【請求項１】
先端部に注射針を備えた注射針アッセンブリが着脱自在に取り付けられる注射器用ノズルが形成されるとともに、この注射器用ノズルの外側を囲繞するように略円筒状の外側筒部が形成された注射器であって、
前記外側筒部の内側に、前記注射針アッセンブリの前記フランジ部が挿入された場合に、このフランジ部を係止して支持することが可能な内方突起が形成されていることを特徴とする注射器。
【請求項２】
前記外側筒部の内側に形成された内方突起は、前記外側筒部の内周面全周にわたって環状に形成されたものであることを特徴とする請求項１に記載の注射器。
【請求項３】
前記外側筒部の内側に形成された内方突起は、前記外側筒部の内周面に所定間隔置きに形成された複数の突部から構成されていることを特徴とする請求項１に記載の注射器。
【手続補正２】
【補正対象書類名】明細書
【補正対象項目名】０００４
【補正方法】変更
【補正の内容】
【０００４】
本発明に係る注射器は、先端部に注射針を備えた注射針アッセンブリが着脱自在に取り付けられる注射器用ノズルが形成されるとともに、この注射器用ノズルの外側を囲繞するように略円筒状の外側筒部が形成された注射器であって、前記外側筒部の長さが、螺旋状の溝８を形成したルアーロックタイプの注射器の外側筒部２２の長さに比較して短く、該外側筒部の先端部を細くテーパー状に成形することで、視野が広くなっており、該外側筒部の内側に、前記注射針アッセンブリの前記フランジ部が挿入された場合に、このフランジ部を係止して支持することが可能な内方突起が形成されていることを特徴としている。
ここで、前記外側筒部の内側に形成された内方突起は、前記外側筒部の内周面全周にわたって形成された、環状（リング状）ものであっても良く、前記外側筒部の内周面に所定間隔置きに形成された、複数の突部から構成されていても良い。
このような構成であるので、針先の視認性が良好であるとともに、注射針アッセンブリの外れが生じることもなく、また、注射針アッセンブリの素早い注射器バレルへの装着も
確保出来る。
【手続補正３】
【補正対象書類名】明細書
【補正対象項目名】０００５
【補正方法】変更
【補正の内容】
【０００５】
本発明に係る注射器では、ルアーロック部の外側筒部の壁が従来のルアーロック部の外側筒部より短い。すなわち、注射を打つ際、手元側から針先（患部）を見た場合に、これまでは視野の邪魔になっていた外側筒部の壁を形成する部分の長さが邪魔にならない程度に短く成形されている。このような構成に加え、先端に向かってテーパーを、形成することより、さらに視野を改善することも可能である。これによって、針先（患部）の視認性が、良好となる。また、内方突起で注射針アッセンブリのフランジ部が確実に係止されるので、該注射針アッセンブリの外れが生じることもなく、その装着も、螺合不要であるので、素早く出来る。
【手続補正４】
【補正対象書類名】明細書
【補正対象項目名】０００７
【補正方法】変更
【補正の内容】
【０００７】
ここで、ルアーロックとは、狭義の意味では、ネジ山とネジ溝との関係のように、特殊な力が作用しないかぎり外れない螺合構造を表現しているが、本明細書では、図１に示した注射器バレル１０と注射針アッセンブリ１１との間に構成される嵌合構造であって、注射器用ノズル１４を囲繞する略円筒状の外側筒部１５によって注射針アッセンブリ１１のフランジ部１３を外側から確実に係止する嵌合構造部分を、ルアーロック部と称する。
【手続補正５】
【補正対象書類名】明細書
【補正対象項目名】００１４
【補正方法】変更
【補正の内容】
【００１４】
また、内方突起１７がフランジ部１３を確実に係止しているので、注射針アッセンブリ１１が脱落することもなく、その装着も螺合不要であるので、素早く出来る。
なお、本発明に係る注射器バレル１０の材質としては、一般にプラスチックが使用されており、例えば環状オレフィン系樹脂、環状オレフィン−エチレン共重合体、ポリエチレンテレフタレート系樹脂、ポリスチレン樹脂、ポリエチレンテレフタレート樹脂等が挙げられるが、特に透明性や耐熱性が高く、医薬品との化学的な相互作用のない環状オレフィン系樹脂、環状オレフィン−エチレン共重合体（例えば特許第２９１４８２６号公報記載の衛生用容器に用いられているもの）の使用が好ましい。